【手続補正書】
【提出日】令和2年9月24日(2020.9.24)
【手続補正１】
【補正対象書類名】特許請求の範囲
【補正対象項目名】全文
【補正方法】変更
【補正の内容】
【特許請求の範囲】
【請求項１】
動物排泄物収集動物含有ケージであって、
ケージ蓋と、
前記ケージ蓋に添着されるケージ基部であって、
そのケージ基部は、１つ以上の側面と、前記１つ以上の側面に接続されるケージ基部底部と、格子部材とを備え、
そのケージ基部底部は、開口部を備え、
その格子部材は、前記ケージ基部底部開口部にわたって配置される部材を備える、ケージ基部と、
前記ケージに接続される動物排泄物収集器部材であって、
その収集器部材は、近位端と、遠位端と、近位開口部と、遠位開口部と、内面および外面を備える１つ以上の側壁とを備え、
その１つ以上の側壁の少なくとも一部およびそのうちの少なくとも１つは、前記収集器部材の前記近位開口部から前記遠位開口部までテーパ状になり、
前記収集器部材のその近位開口部は、前記ケージ基部底部開口部と整合される、収集器部材と、
前記収集器部材に接続される動物排泄物分離器部材であって、
その分離器部材は、糞便から尿を分離し、
その分離器部材は、近位開口部と、遠位開口部と、前部と、側面と、後部と、底部と、前記側面に接続される近位シュート部材と、前記側面に接続される遠位シュート部材と、前記底部に接続される第１の容器コネクタと、前記底部に接続される第２の容器コネクタとを備え、
その近位シュート部材は、近位末端と、前記分離器部材の前記後部と関連する遠位末端と、前面とを備え、
その遠位シュート部材は、近位末端と、遠位末端と、前面と、後面とを備え、
その遠位シュート部材は、前記近位シュート部材に接続されず、前記後部に接続されず、
その近位シュート部材および遠位シュート部材は、異なる角度にあり、
前記遠位シュート部材のその近位末端は、前記近位シュート部材の前記遠位末端から垂直にオフセットされ、水平にオフセットされ、
その第１の容器コネクタは、前記遠位シュート部材と事実上接続し、前記分離器部材の前記底部において終端する第１のボア面を備え、
その第２の容器コネクタは、前記近位シュート部材と事実上接続し、前記分離器部材の前記底部において終端する第２のボア面を備え、
前記第１の容器コネクタは、前記第２の容器コネクタの前方にある、分離器部材と
を備える、含有ケージ。
【請求項２】
前記収集器部材内面は、疎水性コーティングを備える、請求項１に記載の含有ケージ。
【請求項３】
前記収集器部材と接触する挿入部材を備え、前記挿入部材は、近位開口部と、遠位開口部と、内面および外面を備える１つ以上の側壁とを備え、その１つ以上の側壁の少なくとも一部およびそのうちの少なくとも１つは、前記挿入部材の前記近位開口部から前記遠位開口部までテーパ状になる、請求項１に記載の含有ケージ。
【請求項４】
前記挿入部材の前記１つ以上の側壁のうちの少なくとも１つは、前記収集器部材の前記１つ以上の側壁よりも長く、前記挿入部材の近位領域における前記挿入部材の前記１つ以上の側壁のその外面の一部は、前記収集器部材の前記１つ以上の側壁の前記内面と接触し、前記挿入部材の遠位領域における前記挿入部材の前記１つ以上の側壁のその外面の一部は、前記収集器部材の前記１つ以上の側壁の前記内面と接触しない、請求項３に記載の含有ケージ。
【請求項５】
前記挿入部材のその遠位開口部は、前記近位シュート部材前面に近接して配置され、前記近位シュート部材の前記前面上の着地区域領域と整合される、請求項３または４に記載の含有ケージ。
【請求項６】
前記挿入部材の前記遠位端の前記近位シュート部材前面への近接は、約０．０１インチ〜約３．０インチである、請求項５に記載の含有ケージ。
【請求項７】
前記挿入部材は、化学的に処理される、請求項３〜６のいずれか１項に記載の含有ケージ。
【請求項８】
前記収集器部材は、円錐形である遠位端を有し、円錐形収集器部材である、請求項１または２に記載の含有ケージ。
【請求項９】
前記円錐形収集器部材の前記遠位開口部は、前記近位シュート部材前面に近接して配置され、前記近位シュート部材の前記前面上の着地区域領域と整合される、請求項８に記載の含有ケージ。
【請求項１０】
前記円錐形収集器部材の前記遠位端の前記近位シュート部材前面への近接は、約０．０１インチ〜約３．０インチである、請求項９に記載の含有ケージ。
【請求項１１】
近位シュート部材は、前記近位末端から前記遠位末端に向かって軸方向に延在する第１および第２の傾斜面を備え、その遠位シュートは、前記近位末端から前記遠位末端に向かって軸方向に延在する第３の傾斜面を備え、その第１および／または第２の傾斜面は、前記第３の傾斜面の角度と異なる角度にある、請求項１〜１０のいずれか１項に記載の含有ケージ。
【請求項１２】
前記第１の傾斜面は、約４２度の角度にあり、前記第２の傾斜面は、約５５度の角度にあり、前記第３の傾斜面は、約３９．３度または約４１度の角度にある、請求項１１に記載の含有ケージ。
【請求項１３】
前記遠位シュート部材の前記近位末端は、前記近位シュート部材の前記遠位末端から約０．２５インチ〜約１．００インチ垂直にオフセットされる、請求項１〜１２のいずれか１項に記載の含有ケージ。
【請求項１４】
前記遠位シュート部材の前記近位末端は、前記近位シュート部材の前記遠位末端から水平にオフセットされ、約０．１０インチ〜約０．２５インチの間隙をもたらす、請求項１〜１３のいずれか１項に記載の含有ケージ。
【請求項１５】
前記近位シュート部材および前記遠位シュート部材は、化学的に処理される表面を備える、請求項１〜１４のいずれか１項に記載の含有ケージ。
【請求項１６】
第１の容器が、前記第１の容器コネクタに解放可能に取り付けられ、第２の容器が、前記第２の容器コネクタに解放可能に取り付けられる、請求項１〜１５のいずれか１項に記載の含有ケージ。
【請求項１７】
前記第２の容器コネクタは、漏斗フランジと、漏斗開口とを備える、請求項１〜１６のいずれか１項に記載の含有ケージ。
【請求項１８】
前記第１の容器は、糞便の収集のためのものであり、前記第２の容器は、尿の収集のためのものである、請求項１６または１７に記載の含有ケージ。
【請求項１９】
前記ケージは、ラック内に配置される、請求項１〜１８のいずれか１項に記載の含有ケージ。
【手続補正２】
【補正対象書類名】明細書
【補正対象項目名】００１３
【補正方法】変更
【補正の内容】
【００１３】
また、ある側面において提供されるものは、動物排泄物収集動物含有ケージの構成要素を入れ子にする方法である。
本発明は、例えば、以下を提供する。
（項目１）
動物排泄物収集動物含有ケージであって、
ケージ蓋と、
前記ケージ蓋に添着されるケージ基部であって、
そのケージ基部は、１つ以上の側面と、前記１つ以上の側面に接続されるケージ基部底部と、格子部材とを備え、
そのケージ基部底部は、開口部を備え、
その格子部材は、前記ケージ基部底部開口部にわたって配置される部材を備える、ケージ基部と、
前記ケージに接続される動物排泄物収集器部材であって、
その収集器部材は、近位端と、遠位端と、近位開口部と、遠位開口部と、内面および外面を備える１つ以上の側壁とを備え、
その１つ以上の側壁の少なくとも一部およびそのうちの少なくとも１つは、前記収集器部材の前記近位開口部から前記遠位開口部までテーパ状になり、
前記収集器部材のその近位開口部は、前記ケージ基部底部開口部と整合される、収集器部材と、
前記収集器部材に接続される動物排泄物分離器部材であって、
その分離器部材は、糞便から尿を分離し、
その分離器部材は、近位開口部と、遠位開口部と、前部と、側面と、後部と、底部と、前記側面に接続される近位シュート部材と、前記側面に接続される遠位シュート部材と、前記底部に接続される第１の容器コネクタと、前記底部に接続される第２の容器コネクタとを備え、
その近位シュート部材は、近位末端と、前記分離器部材の前記後部と関連する遠位末端と、前面とを備え、
その遠位シュート部材は、近位末端と、遠位末端と、前面と、後面とを備え、
その遠位シュート部材は、前記近位シュート部材に接続されず、前記後部に接続されず、
前記遠位シュート部材のその近位末端は、前記近位シュート部材の前記遠位末端から垂直にオフセットされ、水平にオフセットされ、
その第１の容器コネクタは、前記遠位シュート部材と事実上接続し、前記分離器部材の前記底部において終端する第１のボア面を備え、
その第２の容器コネクタは、前記近位シュート部材と事実上接続し、前記分離器部材の前記底部において終端する第２のボア面を備え、
前記第１の容器コネクタは、前記第２の容器コネクタの前方にある、分離器部材と
を備える、含有ケージ。
（項目２）
前記格子部材は、ワイヤバーを備える、項目１に記載の含有ケージ。
（項目３）
前記格子部材は、床格子部材である、項目２に記載の含有ケージ。
（項目４）
前記格子部材は、前記ケージ基部底部からほぼ前記ケージ基部の前記１つ以上の側面の高さに及ぶワイヤバー格子側部材を備える、項目１または２に記載の含有ケージ。
（項目５）
前記格子部材は、前記ケージ基部底部から前記ケージ基部の前記１つ以上の側面の高さの一部に及ぶワイヤバー格子側部材を備える、項目１または２に記載の含有ケージ。
（項目６）
前記格子側部材は、前記ケージ基部底部からほぼ前記ケージ基部の４つの側面の高さに及び、前記格子とともに、動物閉じ込め部材を形成する、項目４に記載の含有ケージ。
（項目７）
前記床格子部材は、前記ケージ基部底部から前記ケージ基部の３つの側面の高さの一部に及ぶ側格子部材と、前記ケージ基部底部からほぼ前記ケージ基部の前記側面の高さに及ぶ後部格子部材とを備え、前記側格子部材、後部格子部材、および床格子部材は、動物閉じ込め部材を形成する、項目３に記載の含有ケージ。
（項目８）
前記ケージ内に含有される動物は、前記動物閉じ込め部材によって、前記ケージ基部底部開口部を備える前記ケージの区分に閉じ込められる、項目６または７に記載の含有ケージ。
（項目９）
付加的ワイヤバー部材を備える、項目２−８のいずれか１項に記載の含有ケージ。
（項目１０）
前記付加的ワイヤバー部材は、餌ワイヤバー部材である、項目９に記載の含有ケージ。
（項目１１）
前記付加的ワイヤバー部材は、水ワイヤバー部材である、項目９に記載の含有ケージ。
（項目１２）
前記付加的ワイヤバー部材は、餌ワイヤバー部材および水ワイヤバー部材である、項目９に記載の含有ケージ。
（項目１３）
前記餌ワイヤバー部材および水ワイヤバー部材は、取り付けられ、餌および水保持器を形成する、項目１２に記載の含有ケージ。
（項目１４）
前記餌および水保持器は、動物閉じ込め部材に取り付けられる、項目１３に記載の含有ケージ。
（項目１５）
越流レセプタクルを備える、項目１３または１４に記載の含有ケージ。
（項目１６）
前記餌ワイヤバー部材の下に越流レセプタクルを備え、前記水ワイヤバー部材の下に越流レセプタクルを備える、項目１５に記載の含有ケージ。
（項目１７）
基部の２つの平行な側面は、標準的ケージの基部の２つの同等の平行な側面を上回る長さを有する、項目１−１６のいずれか１項に記載の含有ケージ。
（項目１８）
前記動物排泄物収集器部材は、前記ケージに接続される、項目１−１７のいずれか１項に記載の含有ケージ。
（項目１９）
前記動物排泄物収集器部材は、ケージ底部の内部と接触する側フランジを備える、項目１−１７のいずれか１項に記載の含有ケージ。
（項目２０）
前記動物排泄物収集器部材は、前記ケージ基部底部開口部を囲繞するケージ底部床の内部部分と接触する肋材および支持タブを備える、項目１−１７のいずれか１項に記載の含有ケージ。
（項目２１）
前記肋材および支持タブは、前記ケージ底部床上の床棚部またはシェルフと接触する、項目２０に記載の含有ケージ。
（項目２２）
前記動物排泄物収集器部材は、前記ケージ基部底部の一体部品である、項目１−１７のいずれか１項に記載の含有ケージ。
（項目２３）
前記動物排泄物収集器部材の前記近位開口部、前記遠位開口部、および前記側壁のうちの１つ以上のものは、錐台として配置される、項目１−２２のいずれか１項に記載の含有ケージ。
（項目２４）
前記収集器部材の１つ以上の側壁は、水平軸に対して４０〜９０度の角度でテーパ状になる、項目１−２３のいずれか１項に記載の含有ケージ。
（項目２５）
前記側壁は、約５５度の角度でテーパ状になる、項目２４に記載の含有ケージ。
（項目２６）
前記収集器部材内面は、コーティングを備える、項目１−２５のいずれか１項に記載の含有ケージ。
（項目２７）
前記コーティングは、疎水性コーティングである、項目２６に記載の含有ケージ。
（項目２８）
前記収集器部材と接触する挿入部材を備え、前記挿入部材は、近位開口部と、遠位開口部と、内面および外面を備える１つ以上の側壁とを備え、その１つ以上の側壁の少なくとも一部およびそのうちの少なくとも１つは、前記挿入部材の前記近位開口部から前記遠位開口部までテーパ状になる、項目１−２７のいずれか１項に記載の含有ケージ。
（項目２９）
前記挿入部材の前記１つ以上の側壁のうちの少なくとも１つは、前記収集器部材の前記１つ以上の側壁よりも長く、前記挿入部材の近位領域における前記挿入部材の前記１つ以上の側壁のその外面の一部は、前記収集器部材の前記１つ以上の側壁の前記内面と接触し、前記挿入部材の遠位領域における前記挿入部材の前記１つ以上の側壁のその外面の一部は、前記収集器部材の前記１つ以上の側壁の前記内面と接触しない、項目２８に記載の含有ケージ。
（項目３０）
前記挿入部材のその遠位開口部は、前記近位シュート部材に近接して配置され、前記近位シュート部材の前記前面と整合される、項目２８または２９に記載の含有ケージ。
（項目３１）
前記近位シュート部材の前記前面との整合は、前記近位シュート領域の前記前面上の着地区域領域との整合である、項目３０に記載の含有ケージ。
（項目３２）
前記挿入部材の前記遠位端の前記近位シュート部材前面への近接は、約０．０１インチ〜約３．０インチである、項目３０または３１に記載の含有ケージ。
（項目３３）
前記挿入部材の前記遠位端の前記近位シュート部材前面への近接は、約０．１３インチである、項目３２に記載の含有ケージ。
（項目３４）
前記挿入部材は、紙である、項目２８−３３のいずれか１項に記載の含有ケージ。
（項目３５）
前記紙は、蝋紙である、項目３４に記載の含有ケージ。
（項目３６）
前記挿入部材は、化学的に処理される、項目２８−３５のいずれか１項に記載の含有ケージ。
（項目３７）
前記化学処理は、着目分子と結合または反応する試薬を前記挿入部材に付着させるステップを含む、項目３６に記載の含有ケージ。
（項目３８）
前記収集器部材は、円錐形である遠位端を有し、円錐形収集器部材である、項目１−２７のいずれか１項に記載の含有ケージ。
（項目３９）
前記動物排泄物円錐形収集器部材は、前記ケージに接続される、項目３８に記載の含有ケージ。
（項目４０）
前記動物排泄物円錐形収集器部材は、前記ケージ基部底部の一体部品である、項目３８に記載の含有ケージ。
（項目４１）
前記円錐形収集器部材の前記遠位開口部は、前記近位シュート部材前面に近接して配置され、前記近位シュート部材の前記前面と整合される、項目３８−４０のいずれか１項に記載の含有ケージ。
（項目４２）
前記近位シュート部材の前記前面との整合は、前記近位シュート領域の前記前面上の着地区域領域との整合である、項目４１に記載の含有ケージ。
（項目４３）
前記円錐形収集器部材の前記遠位端の前記近位シュート部材前面への近接は、約０．０１インチ〜約３．０インチである、項目４１または４２に記載の含有ケージ。
（項目４４）
前記円錐形収集器部材の前記遠位端の前記近位シュート部材前面への近接は、約０．１３インチである、項目４３に記載の含有ケージ。
（項目４５）
前記収集器部材は、前記遠位端において収集器延在部材を備える、項目１−３７のいずれか１項に記載の含有ケージ。
（項目４６）
前記分離器部材は、前記収集器延在部材に接続される、項目４５に記載の含有ケージ。
（項目４７）
前記分離器部材は、前記収集器延在部材の内部に接続される、項目４５に記載の含有ケージ。
（項目４８）
前記分離器部材は、前記円錐形収集器部材に接続される、項目３８−４４のいずれか１項に記載の含有ケージ。
（項目４９）
近位シュート部材は、前記近位末端から前記遠位末端に向かって軸方向に延在する第１および第２の傾斜面を備え、その遠位シュートは、前記近位末端から前記遠位末端に向かって軸方向に延在する第３の傾斜面を備え、その第１および／または第２の傾斜面は、前記第３の傾斜面の角度と同一または異なる角度にある、項目１−４８のいずれか１項に記載の含有ケージ。
（項目５０）
前記第１の傾斜面、前記第２の傾斜面、および前記第３の傾斜面は、約３５度〜約６５度または約３５度〜約７５度の角度にある、項目４９に記載の含有ケージ。
（項目５１）
前記第１の傾斜面は、約４２度の角度にある、項目４９または５０に記載の含有ケージ。
（項目５２）
前記第２の傾斜面は、約５５度の角度にある、項目４９または５０に記載の含有ケージ。
（項目５３）
前記第３の傾斜面は、約４１度の角度にある、項目４９または５０に記載の含有ケージ。
（項目５４）
前記第３の傾斜面は、約３９．３度の角度にある、項目４９または５０に記載の含有ケージ。
（項目５５）
前記近位シュート部材の前記前面は、湾曲面を備える、項目１−５４のいずれか１項に記載の含有ケージ。
（項目５６）
近位シュート部材は、前記近位末端から前記遠位末端に向かって軸方向に延在する第１の傾斜面を備え、その遠位シュートは、前記近位末端から前記遠位末端に向かって軸方向に延在する第２の傾斜面を備え、その第１の傾斜面は、前記第２の傾斜面の角度と同一または異なる角度にある、項目１−４８のいずれか１項に記載の含有ケージ。
（項目５７）
前記第１の傾斜面および前記第２の傾斜面は、約３５度〜約６５度または約３５度〜約７５度の角度にある、項目５６に記載の含有ケージ。
（項目５８）
前記第１の傾斜面は、約５５度の角度にある、項目５６または５７に記載の含有ケージ。
（項目５９）
前記第２の傾斜面は、約３９．３度の角度にある、項目５６−５８のいずれか１項に記載の含有ケージ。
（項目６０）
前記近位シュート部材の前記前面は、湾曲面を備える、項目５６−５９のいずれか１項に記載の含有ケージ。
（項目６１）
前記遠位シュート部材の前記近位末端は、前記近位シュート部材の前記遠位末端から約０．２５インチ〜約１．００インチ垂直にオフセットされる、項目１−６０のいずれか１項に記載の含有ケージ。
（項目６２）
前記遠位シュート部材の前記近位末端は、前記近位シュート部材の前記遠位末端から約０．６２インチ垂直にオフセットされる、項目６１に記載の含有ケージ。
（項目６３）
前記遠位シュート部材の前記近位末端は、前記近位シュート部材の前記遠位末端から水平にオフセットされ、約０．１５インチ〜約０．２５インチまたは約０．１０インチ〜約０．２５インチの間隙をもたらす、項目１−６２のいずれか１項に記載の含有ケージ。
（項目６４）
前記間隙は、約０．２０インチである、項目６３に記載の含有ケージ。
（項目６５）
前記遠位シュートは、前記分離器部材の側面のそれぞれの前記前面および内面に接続される側壁を備える、項目１−６４のいずれか１項に記載の含有ケージ。
（項目６６）
前記近位シュート部材および前記遠位シュート部材は、化学的に処理される表面を備える、項目１−６５のいずれか１項に記載の含有ケージ。
（項目６７）
前記近位シュートの遠位末端は、前記近位シュートと遠位シュートとの間に位置付けられる前記分離器部材の内部後壁面と事実上接続する、項目１−６６のいずれか１項に記載の含有ケージ。
（項目６８）
前記内部後壁面は、尿の流動を促進するように構成される、項目６７に記載の含有ケージ。
（項目６９）
前記分離器部材は、閉鎖され、前記コネクタ部材延在部に接続される付加的壁部材を備える、項目１−６８のいずれか１項に記載の含有ケージ。
（項目７０）
前記分離器部材は、キャップを備える閉鎖ユニットであり、前記分離器部材は、前記コネクタ部材延在部の内部に取り付けられる、項目１−６８のいずれか１項に記載の含有ケージ。
（項目７１）
前記分離器部材は、分離器部材延在部材を備え、前記分離器部材延在部材は、前記コネクタ部材延在部の内部に取り付けられる、項目１−７０のいずれか１項に記載の含有ケージ。
（項目７２）
第１の容器が、前記第１の容器コネクタに解放可能に取り付けられ、第２の容器が、前記第２の容器コネクタに解放可能に取り付けられる、項目１−７１のいずれか１項に記載の含有ケージ。
（項目７３）
前記第２の容器コネクタは、漏斗フランジと、漏斗開口とを備える、項目１−７２のいずれか１項に記載の含有ケージ。
（項目７４）
前記第１の容器は、糞便の収集のためのものであり、前記第２の容器は、尿の収集のためのものである、項目７２または７３に記載の含有ケージ。
（項目７５）
前記第１の容器および前記第２の容器は、プラスチック管を備える、項目７２−７４のいずれか１項に記載の含有ケージ。
（項目７６）
前記含有ケージは、使い捨てである、項目１−７５のいずれか１項に記載の含有ケージ。
（項目７７）
前記含有ケージは、単回使用のためのものである、項目７６に記載の含有ケージ。
（項目７８）
前記ケージは、ラック内に配置される、項目１−７７のいずれか１項に記載の含有ケージ。
（項目７９）
前記ラックは、ケージ搭載アセンブリを備え、前記ケージは、前記ケージ搭載アセンブリと係合される、項目７８に記載の含有ケージ。
（項目８０）
前記ケージは、ケージ突出部を備え、前記ラックは、ケージコネクタアセンブリを備え、各ケージ突出部は、ケージコネクタアセンブリと係合される、項目７９に記載の含有ケージ。
（項目８１）
前記ケージ突出部は、オリフィスを有していない、項目８０に記載の含有ケージ。
（項目８２）
前記ケージ突出部は、オリフィスを有する、項目８０に記載の含有ケージ。
（項目８３）
前記ラックは、正の空気圧および／または負の空気圧を前記ケージに提供する、項目７８−８０および８２のいずれか１項に記載の含有ケージ。
（項目８４）
前記ラックは、正の空気圧および／または負の空気圧を前記ケージに提供しない、項目７８−８１のいずれか１項に記載の含有ケージ。
（項目８５）
動物格納のための標準的ケージが、含有ケージを備える前記ラック内に配置される、項目７８−８４のいずれか１項に記載の含有ケージ。
（項目８６）
前記ケージ蓋は、フィルタ部材を備える、項目１−８５のいずれか１項に記載の含有ケージ。
（項目８７）
前記ラックは、正の空気圧を前記ケージに提供する、項目８３に記載の含有ケージ。
（項目８８）
前記ラックは、負の空気圧を前記ケージに提供する、項目８３に記載の含有ケージ。
（項目８９）
前記ケージは、ＢＳＬ  ２＋施設内にある、項目８９に記載の含有ケージ。
（項目９０）
前記含有ケージは、ラック内にない、項目１−７７のいずれか１項に記載の含有ケージ。
（項目９１）
前記含有ケージは、スタンドを備える、項目９０に記載の含有ケージ。
（項目９２）
入れ子動物排泄物収集動物含有ケージ基部のセット。
（項目９３）
前記基部は、収集器部材に取り付けられる、項目９２に記載の入れ子動物排泄物収集動物含有ケージ基部のセット。
（項目９４）
前記基部は、円錐形収集器部材に取り付けられる、項目９２に記載の入れ子動物排泄物収集動物含有ケージ基部のセット。
（項目９５）
入れ子動物排泄物収集動物含有ケージカバーのセット。
（項目９６）
入れ子動物排泄物収集動物含有ケージ収集器部材のセット。
（項目９７）
入れ子動物排泄物収集動物含有ケージ円錐形収集器部材のセット。
（項目９８）
入れ子動物排泄物収集動物含有ケージ挿入部材のセット。
（項目９９）
入れ子動物排泄物収集動物含有ケージ閉じ込め部材のセット。
（項目１００）
入れ子動物排泄物収集動物含有ケージ餌および水保持器部材のセット。
（項目１０１）
入れ子動物排泄物収集動物含有ケージ餌および水越流レセプタクルのセット。
（項目１０２）
１匹または複数の動物からの尿および／または糞便を収集および分離するための方法であって、
項目１−９１のいずれか１項に記載の動物排泄物収集動物含有ケージ内に１匹または複数の動物を設置するステップと、
第１の容器内で尿を取得し、第２の容器内で糞便を取得するステップと
を含む、方法。
（項目１０３）
項目１−７７のいずれか１項に記載の動物排泄物収集動物含有ケージを組み立てるための方法であって、
収集器部材をケージ基部の内部に、部分的にケージ基部底部開口部を通して挿入するステップであって、それによって、前記収集器部材の肋材および支持タブが、前記ケージ基部底部の床棚部上に静置する、ステップと、
分離器部材を前記収集器部材近位開口部を通して挿入するステップであって、それによって、前記分離器延在部材の前記取付フランジは、前記収集器延在部材の前記支持フランジ上に静置する、ステップと、
挿入部材を前記収集器部材の内面上に設置するステップと、
動物閉じ込め部材および餌および水保持器を前記ケージ基部に取り付け、随意に、前記餌および水保持器の下に餌および水越流レセプタクル容器を挿入するステップと
を含む、方法。